(57)【要約】      （修正有）【課題】太陽電池発電モジュール構造の改良に関し、特に嵌設構造、強化リブ及び支持アームの構造により、ガラス、太陽電池、封止材（ＥＶＡ、ＰＶＢ）、裏板又はガラス層が積層されてなる太陽電池発電モジュール及び固定フレームを三次元の方向から固定することで、太陽電池発電モジュールの構造をさらに強化するための太陽電池発電モジュール構造を提供する。【解決手段】本太陽電池発電モジュール構造は、少なくとも１つのアウターフレームと該アウターフレームの対向する両側に跨設可能な少なくとも１つの強化リブとを有する少なくとも１つの固定フレーム１２”と、前記固定フレームに嵌設可能な少なくとも１つの太陽電池発電モジュール１１”とを備え、太陽電池発電モジュールと固定フレームとが太陽電池発電モジュール構造として一体形成された場合、前記強化リブにより前記太陽電池発電モジュール構造を強化することができる。【選択図】図３
0003175503.tif 000002
【実用新案登録請求の範囲】
【請求項１】
少なくとも１つの太陽電池発電モジュール１１と、少なくとも１つの固定フレーム１２とを備え、前記太陽電池発電モジュール１１は、前記固定フレーム１２に嵌設可能であり、前記固定フレーム１２は少なくとも１つのアウターフレーム１２１及び前記アウターフレーム１２１の対向する両側に跨設可能な少なくとも２つの強化リブ１２２、１２３を有し、前記アウターフレーム１２１は、少なくとも１つの受け部１２１Ａ及び少なくとも１つの構造強化部１２１Ｂを有し、前記受け部１２１Ａが、前記太陽電池発電モジュール１１の外縁１１１を受けることで、前記外縁１１１が前記受け部１２１Ａに嵌設され、且つ前記受け部１２１Ａは、前記構造強化部１２１Ｂの一端（側）１２１ＢＣに隣接し、前記構造強化部１２１Ｂは、フレーム型となっており、前記フレーム型の前記強化リブ１２２に隣接した一側１２１ＢＡの内側には少なくとも１つのロック構造１２１Ｂ１、１２１Ｂ２が設けられ、前記フレーム型の前記強化リブ１２２に隣接した前記一側１２１ＢＡの対向側１２１ＢＢには少なくとも１つの第１の固定孔１２１Ｂ３が設けられ、前記フレーム型の前記強化リブ１２２に隣接した一側１２１ＢＡには少なくとも１つの第２の固定孔１２１Ｂ４が設けられ、前記第２の固定孔１２１Ｂ４は、前記第１の固定孔１２１Ｂ３に対向し、これにより、第１のロック部材Ｐが、前記第１の固定孔１２１Ｂ３を貫通し、前記第２の固定孔１２１Ｂ４に入り、さらに前記強化リブ１２２の第１のロック孔１２２１に入ることで、前記第１のロック部材Ｐが前記強化リブ１２２と平行する形で前記構造強化部１２１Ｂと前記強化リブ１２２とを互いに固定させることが可能であり、前記構造強化部１２１Ｂの前記受け部１２１Ａに隣接した前記一端（側）１２１ＢＣの対向端１２１ＢＤには延在部１２１Ｃが設けられ、前記延在部１２１Ｃが、前記強化リブ１２２と平行する形で前記構造強化部１２１Ｂから外方向へ延在するとともに前記強化リブ１２２に当接し、且つ前記第１のロック部材Ｐと組み合わせられ、前記強化リブ１２２をさらに固定させ、
前記太陽電池発電モジュール１１と前記固定フレーム１２とが太陽電池発電モジュール構造１として一体形成された場合、前記強化リブ１２２、１２３により前記太陽電池発電モジュール構造１を強化することができることを特徴とする太陽電池発電モジュール構造。
【請求項２】
前記太陽電池発電モジュール１１は、単結晶シリコン、ポリシリコン、アモルファスシリコン、セレン化銅インジウム又は化合物半導体のいずれか１つからなる太陽電池であることを特徴とする請求項１に記載の太陽電池発電モジュール構造。
【請求項３】
前記固定フレーム１２は、円形又は多辺形のいずれかであることを特徴とする請求項１に記載の太陽電池発電モジュール構造。
【請求項４】
前記多辺形は、少なくとも三辺からなる形状であることを特徴とする請求項３に記載の太陽電池発電モジュール構造。
【請求項５】
少なくとも１つの太陽電池発電モジュール１１と、少なくとも１つの固定フレーム１２とを備え、前記太陽電池発電モジュール１１は、前記固定フレーム１２に嵌設可能であり、前記固定フレーム１２は少なくとも１つのアウターフレーム１２１及び前記アウターフレーム１２１の対向する両側に跨設可能な少なくとも２つの強化リブ１２２、１２３を有し、前記アウターフレーム１２１は、少なくとも１つの受け部１２１Ａ及び少なくとも１つの構造強化部１２１Ｂを有し、前記受け部１２１Ａが、前記太陽電池発電モジュール１１の外縁１１１を受けることで、前記外縁１１１が前記受け部１２１Ａに嵌設され、且つ前記受け部１２１Ａは、前記構造強化部１２１Ｂの一端（側）１２１ＢＣに隣接し、前記構造強化部１２１Ｂは、フレーム型となっており、前記フレーム型の前記強化リブ１２２に隣接した一側１２１ＢＡの内側には少なくとも１つのロック構造１２１Ｂ１、１２１Ｂ２が設けられ、前記構造強化部１２１Ｂの前記受け部１２１Ａに隣接した前記一端（側）１２１ＢＣの対向端（側）１２１ＢＤには延在部１２１Ｃが設けられ、前記延在部１２１Ｃが、前記強化リブ１２２と平行する形で前記構造強化部１２１Ｂから外方向へ延在するとともに前記強化リブ１２２に当接し、前記延在部１２１Ｃには第３の固定孔１２１Ｂ５が設けられ、これにより、第２のロック部材Ｐ’が、前記第３の固定孔１２１Ｂ５を貫通し、さらに前記強化リブ１２２の第２のロック孔１２２２に入ることで、前記第２のロック部材Ｐ’が前記強化リブ１２２と垂直する形で前記構造強化部１２１Ｂと前記強化リブ１２２とを互いに固定させることが可能であることを特徴とする太陽電池発電モジュール構造。
【請求項６】
前記太陽電池発電モジュール１１は、単結晶シリコン、ポリシリコン、アモルファスシリコン、セレン化銅インジウム又は化合物半導体のいずれか１つからなる太陽電池であることを特徴とする請求項５に記載の太陽電池発電モジュール構造。
【請求項７】
前記固定フレーム１２は、円形又は多辺形のいずれかであることを特徴とする請求項５に記載の太陽電池発電モジュール構造。
【請求項８】
前記多辺形は、少なくとも三辺からなる形状であることを特徴とする請求項７に記載の太陽電池発電モジュール構造。
【請求項９】
少なくとも１つの太陽電池発電モジュール１１と、少なくとも１つの固定フレーム１２とを備え、前記太陽電池発電モジュール１１は、前記固定フレーム１２に嵌設可能であり、前記固定フレーム１２は少なくとも１つのアウターフレーム１２１及び前記アウターフレーム１２１の対向する両側に跨設可能な少なくとも２つの強化リブ１２２、１２３を有し、前記アウターフレーム１２１は、少なくとも１つの受け部１２１Ａ及び少なくとも１つの構造強化部１２１Ｂを有し、前記受け部１２１Ａが、前記太陽電池発電モジュール１１の外縁１１１を受けることで、前記外縁１１１が前記受け部１２１Ａに嵌設され、且つ前記受け部１２１Ａは、前記構造強化部１２１Ｂの一端（側）１２１ＢＣに隣接し、前記構造強化部１２１Ｂは、フレーム型となっており、前記フレーム型の前記強化リブ１２２に隣接した一側１２１ＢＡの内側には少なくとも１つのロック構造１２１Ｂ１、１２１Ｂ２が設けられ、前記フレーム型の前記強化リブ１２２に隣接した前記一側１２１ＢＡの対向側１２１ＢＢには少なくとも１つの第４の固定孔１２１Ｂ６が設けられ、前記フレーム型の強化リブ１２２に隣接した一側１２１ＢＡには少なくとも１つの第５の固定孔１２１Ｂ７が設けられ、前記第５の固定孔１２１Ｂ７は、前記第４の固定孔１２１Ｂ６に対向し、これにより、第３のロック部材Ｐ’’’が、前記第４の固定孔１２１Ｂ６を貫通し、前記第５の固定孔１２１Ｂ７に入り、さらに前記強化リブ１２２の第３のロック孔１２２３に入ることで、前記第３のロック部材Ｐ’’’が前記強化リブ１２２と平行する形で前記構造強化部１２１Ｂと前記強化リブ１２２とを互いに固定させることが可能であり、前記構造強化部１２１Ｂの前記受け部１２１Ａに隣接した前記一端（側）１２１ＢＣの対向端１２１ＢＤには延在部１２１Ｃが設けられ、前記延在部１２１Ｃが、前記強化リブ１２２と平行する形で前記構造強化部１２１Ｂから外方向へ延在するとともに前記強化リブ１２２に当接し、前記延在部１２１Ｃには第６の固定孔１２１Ｂ８が設けられ、これにより、が、前記第６の固定孔１２１Ｂ８を貫通し、さらに前記強化リブ１２２の第４のロック孔１２２４に入ることで、前記第４のロック部材Ｐ’’’’が前記強化リブ１２２と垂直する形で前記構造強化部１２１Ｂと前記強化リブ１２２とを互いに固定させることが可能であることを特徴とする太陽電池発電モジュール構造。
【請求項１０】
前記太陽電池発電モジュール１１は、単結晶シリコン、ポリシリコン、アモルファスシリコン、セレン化銅インジウム又は化合物半導体のいずれか１つからなる太陽電池であることを特徴とする請求項９に記載の太陽電池発電モジュール構造。
【請求項１１】
前記固定フレーム１２は、円形又は多辺形のいずれかであることを特徴とする請求項９に記載の太陽電池発電モジュール構造。
【請求項１２】
前記多辺形は、少なくとも三辺からなる形状であることを特徴とする請求項１１に記載の太陽電池発電モジュール構造。
【考案の詳細な説明】
【技術分野】
【０００１】
本考案は、太陽電池発電モジュール構造の改良に関し、特に嵌設構造、強化リブ及び支持アームの構造により、ガラス、太陽電池、封止材（ＥＶＡ、ＰＶＢ）、裏板又はガラス層が積層されてなる太陽電池発電モジュール及び固定フレームを三次元の方向から固定することで、太陽電池発電モジュールの構造をさらに強化するための太陽電池発電モジュール構造の改良に関するものである。
【背景技術】
【０００２】
図７は、従来の太陽電池発電モジュール構造の立体分解模式図を示す。図７に示すように、この従来の太陽電池発電モジュール構造２は、ポリメタクリル酸メチル（ｐｏｌｙｍｅｔｈｙｌ  ｍｅｔｈａｃｒｙｌａｔｅ、ＰＭＭＡ）、ＰＴＦＥ、テレフタル酸ポリエチレン（ｐｏｌｙｅｔｈｙｌｅｎｅ  ｔｅｒｅｐｈｔｈａｌａｔｅ、ＰＥＴ）、ガラス又はプラスチックからなる前板と、太陽電池（単結晶シリコン、ポリシリコン、アモルファスシリコン、セレン化銅インジウム、化合物半導体）と、エチレン酢酸（ｅｔｈｙｌｅｎｅ−ｖｉｎｙｌ  ａｃｅｔａｔｅ、ＥＶＡ）、ポリテトラフルオロエチレン（ｐｏｌｙｔｅｔｒａｆｌｕｏｒｏｅｔｈｙｌｅｎｅ、ＰＴＦＥ）又は注型用樹脂（ｃａｓｔｉｎｇ  ｒｅｓｉｎ）からなる封止材と、ＰＭＭＡ、ＰＴＦＥ、ＰＥＴ、ガラス又はプラスチックからなる裏板と（いずれも図示せず）が積層されてなる太陽電池発電モジュール２１及び固定フレーム２２を備える。しかしながら、太陽電池発電モジュール２１は、応用時には室外に晒されるため、強風によって受ける直接的作用力、太陽の日差しによって受ける温度昇降から生じた応力及び剪断力のほか、寒帯気候での使用時に受ける積雪の重量等は、いずれも当該モジュール全体の構造が崩れてしまう要因となっている。
【０００３】
図８は、実用新案文献１（中華民国実用新案登録第４５３４００号）に開示された太陽電池パネルの搭載フレームの選択図を示す。実用新案文献１には、「切り欠き４２ａＸ、４２ｂＸは、それぞれ支持壁４０ａＸ、４０ｂＸの等高位置に設けられ、切り欠き４２ａＸ、４２ｂＸの開口方向は、いずれも矩形搭載フレーム１（図示せず）の中心方向に向けられ、これによって太陽電池パネル５０を嵌設挟持する」こと、「２つの支持壁４０ａＸ、４０ｂＸは、２つの接続翼１１Ｘ、２１Ｘの接続により結合される」ことが開示されている。しかしながら、単一構造としては、切り欠き４２ａＸ、螺合部４１ａＸ及び支持壁４０ａＸの構造の強度が不十分であるため、上述したような強風の直接的作用力、太陽の日差しによる温度昇降から生じた応力及び剪断力、寒帯気候での使用時における積雪の重量等、様々な要素に対応することは難しい。しかも、実用新案文献１に開示された連結型太陽電池パネルでは、単一のフレームが崩れると、その他のフレームも同じように崩れてしまう。従って、単一のフレーム構造に対して強化を行うことが、根本的解決につながる方法である。
【先行技術文献】
【特許文献】
【０００４】
【特許文献１】中華民国実用新案登録第４５３４００号
【考案の概要】
【考案が解決しようとする課題】
【０００５】
そこで、従来技術の問題を解決するための強化構造を提供することは、極めて重要な課題となっている。
【０００６】
本考案は、嵌設構造、強化リブ及び支持アームの構造により、ポリメタクリル酸メチル（ｐｏｌｙｍｅｔｈｙｌ  ｍｅｔｈａｃｒｙｌａｔｅ、ＰＭＭＡ）、ＰＴＦＥ、テレフタル酸ポリエチレン（ｐｏｌｙｅｔｈｙｌｅｎｅ  ｔｅｒｅｐｈｔｈａｌａｔｅ、ＰＥＴ）、ガラス又はプラスチックからなる前板と、太陽電池（単結晶シリコン、ポリシリコン、アモルファスシリコン、セレン化銅インジウム、化合物半導体）と、エチレン酢酸（ｅｔｈｙｌｅｎｅ−ｖｉｎｙｌ  ａｃｅｔａｔｅ、ＥＶＡ）、ポリテトラフルオロエチレン（ｐｏｌｙｔｅｔｒａｆｌｕｏｒｏｅｔｈｙｌｅｎｅ、ＰＴＦＥ）又は注型用樹脂（ｃａｓｔｉｎｇ  ｒｅｓｉｎ）からなる封止材と、ＰＭＭＡ、ＰＴＦＥ、ＰＥＴ、ガラス又はプラスチックからなる裏板とが積層されてなる太陽電池発電モジュール及び固定フレームを三次元の方向から固定することで、太陽電池発電モジュールの構造をさらに強化するための太陽電池発電モジュール構造の改良を提供することを課題とする。
【課題を解決するための手段】
【０００７】
本考案は、少なくとも１つのアウターフレームと前記アウターフレームの対向する両側に跨設可能な少なくとも１つの強化リブとを有する少なくとも１つの固定フレームと、前記固定フレームに嵌設可能な少なくとも１つの太陽電池発電モジュールとを備え、前記太陽電池発電モジュールと前記固定フレームとが太陽電池発電モジュール構造として一体形成された場合、前記強化リブにより該太陽電池発電モジュール構造をさらに強化することが可能であることを特徴とする太陽電池発電モジュール構造を提供する。
【０００８】
また、好ましくは、太陽電池発電モジュールは、単結晶シリコン、ポリシリコン、アモルファスシリコン、セレン化銅インジウム又は化合物半導体のいずれか１つからなる太陽電池である。
【０００９】
また、好ましくは、固定フレームは、円形又は多辺形のいずれかである。
【００１０】
また、好ましくは、アウターフレームは、少なくとも１つの受け部及び少なくとも１つの構造強化部を有し、受け部が、太陽電池発電モジュールの外縁を受けることで、外縁が受け部に嵌設され、且つ受け部は構造強化部の一端に隣接し、構造強化部は、フレーム型となっており、フレーム型の強化リブに隣接した一側の内側には少なくとも１つのロック構造が設けられ、フレーム型の強化リブに隣接した該一側の対向側には少なくとも１つの第１の固定孔が設けられ、フレーム型の強化リブに隣接した一側には少なくとも１つの第２の固定孔が設けられ、第２の固定孔は、第１の固定孔に対向し、これにより、第１のロック部材が、第１の固定孔を貫通し、第２の固定孔に入り、さらに強化リブの第１のロック孔に入ることで、第１のロック部材が強化リブと平行する形で構造強化部と強化リブとを互いに固定させることが可能である。
【００１１】
また、好ましくは、アウターフレームは、少なくとも１つの受け部及び少なくとも１つの構造強化部を有し、受け部が、太陽電池発電モジュールの外縁を受けることで、該外縁が受け部に嵌設され、且つ受け部は構造強化部の一端に隣接し、構造強化部は、フレーム型となっており、フレーム型の強化リブに隣接した一側の内側には少なくとも１つのロック構造が設けられ、構造強化部の受け部に隣接した該一端の対向端には延在部が設けられ、延在部が、強化リブと平行する形で構造強化部から外方向へ延在するとともに強化リブに当接し、延在部には第３の固定孔が設けられ、これにより、第２のロック部材が、第３の固定孔を貫通し、さらに強化リブの第２のロック孔に入ることで、第２のロック部材が強化リブと垂直する形で構造強化部と強化リブとを互いに固定させることが可能である。
【００１２】
また、好ましくは、受け部が、太陽電池発電モジュールの外縁を受けることで、該外縁が受け部に嵌設され、且つ受け部は構造強化部の一端に隣接し、構造強化部は、フレーム型となっており、フレーム型の強化リブに隣接した一側の内側には少なくとも１つのロック構造が設けられ、フレーム型の強化リブに隣接した該一側の対向側には少なくとも１つの第４の固定孔が設けられ、フレーム型の強化リブに隣接した一側には少なくとも１つの第５の固定孔が設けられ、第５の固定孔は、第４の固定孔に対向し、これにより、第３のロック部材が、第４の固定孔を貫通し、第５の固定孔に入り、さらに強化リブの第３のロック孔に入ることで、第３のロック部材が強化リブと平行する形で構造強化部と強化リブ１２２とを互いに固定させることが可能であり、構造強化部の受け部に隣接した該一端対向端には延在部が設けられ、延在部が、強化リブと平行する形で構造強化部から外方向へ延在するとともに強化リブに当接し、延在部には第６の固定孔が設けられ、これにより、第４のロック部材が、第６の固定孔を貫通し、さらに強化リブの第４のロック孔に入ることで、第４のロック部材が強化リブと垂直する形で構造強化部と前記強化リブとを互いに固定させることが可能である。
【図面の簡単な説明】
【００１３】
【図１】本考案に係る太陽電池発電モジュール構造の改良の第１の好ましい実施例の立体分解模式図を示す。
【図２】本考案に係る太陽電池発電モジュール構造の改良の第２の好ましい実施例の立体分解模式図を示す。
【図３】本考案に係る太陽電池発電モジュール構造の改良の第３の好ましい実施例の立体分解模式図を示す。
【図４】本考案に係る太陽電池発電モジュール構造の改良の太陽電池発電モジュールが固定フレームのアウターフレーム、強化リブと互いに結合固定される第１の応用上面断面図を示す。
【図５】本考案に係る太陽電池発電モジュール構造の改良の太陽電池発電モジュールが固定フレームのアウターフレーム、強化リブと互いに結合固定される第２の応用上面断面図を示す。
【図６】本考案に係る太陽電池発電モジュール構造の改良の太陽電池発電モジュールが固定フレームのアウターフレーム、強化リブと互いに結合固定される第３の応用上面断面図を示す。
【図７】従来の太陽電池発電モジュール構造の立体分解図を示す。
【図８】実用新案文献１（中華民国実用新案登録第４５３４００号）の代表図を示す。
【考案を実施するための形態】
【００１４】
図１は、本考案に係る太陽電池発電モジュール構造の改良の第１の好ましい実施例の立体分解模式図を示す。太陽電池発電モジュール構造１の改良は、１つのアウターフレーム１２１と前記アウターフレーム１２１の対向する両側に跨設可能な２つの強化リブ１２２、１２３とを有する固定フレーム１２と、固定フレーム１２に嵌設可能であり、単結晶シリコン、ポリシリコン、アモルファスシリコン、セレン化銅インジウム又は化合物半導体のいずれか１つからなる太陽電池である太陽電池発電モジュール１１と、を備え、固定フレーム１２のアウターフレーム１２１は、円形又は多辺形のいずれかであり、該多辺形は、少なくとも三辺からなる形状であってもよい。この実施例においては、第１の辺１２１１、第２の辺１２１２、第３の辺１２１３、第４の辺１２１４を有する四辺形を例にして説明する。太陽電池発電モジュール１１と固定フレーム１２とが太陽電池発電モジュール構造１として一体形成された場合、強化リブ１２２、１２３により太陽電池発電モジュール構造１の構造強度を強化することができる。この実施例において、強化リブ１２２、１２３は、太陽電池発電モジュール１１に対して水平の方向に三等分して圧力を印加するため、太陽電池発電モジュール１１が受ける応力及び剪断力を三等分して分散させることができる。
【００１５】
図２は、本考案に係る太陽電池発電モジュール構造の改良の第２の好ましい実施例の立体分解模式図を示す。太陽電池発電モジュール構造１’の改良は、１つのアウターフレーム１２１’とアウターフレーム１２１’の対向する両側に跨設可能な２つの強化リブ１２２’、１２３’とを有する固定フレーム１２’と、固定フレーム１２’に嵌設可能であり、単結晶シリコン、ポリシリコン、アモルファスシリコン、セレン化銅インジウム又は化合物半導体のいずれか１つから選択される太陽電池発電モジュール１１’と、を備え、固定フレーム１２’のアウターフレーム１２１’は、円形又は多辺形のいずれかであり、該多辺形は、少なくとも三辺からなる形状であってもよい。この実施例においては、第１の辺１２１１’、第２の辺１２１２’、第３の辺１２１３’、第４の辺１２１４’を有する四辺形を例にして説明する。太陽電池発電モジュール１１’と固定フレーム１２’とが太陽電池発電モジュール構造１’として一体形成された場合、強化リブ１２２’、１２３’により太陽電池発電モジュール構造１’の構造強度を強化することができる。この実施例において、太陽電池発電モジュール１１’は、強化リブ１２２’、１２３’によってその垂直方向に３つの力を受ける部分に分けられるため、太陽電池発電モジュール１１’が受ける応力及び剪断力を分散させることができる。
【００１６】
図３は、本考案に係る太陽電池発電モジュール構造の改良の第３の好ましい実施例の立体分解模式図を示す。太陽電池発電モジュール構造１’’の改良は、１つのアウターフレーム１２１’’とアウターフレーム１２１’’の２つの対向する両側に跨設可能な４つの強化リブ１２２’’、１２３’’、１２４’’、１２５’’とを有する固定フレーム１２’’と、固定フレーム１２’’に嵌設可能であり、単結晶シリコン、ポリシリコン、アモルファスシリコン、セレン化銅インジウム又は化合物半導体のいずれか１つからなる太陽電池である太陽電池発電モジュール１１’’と、を備え、固定フレーム１２’’のアウターフレーム１２１’’は、円形又は多辺形のいずれかであり、該多辺形は、少なくとも三辺からなる形状であってもよい。この実施例においては、第１の辺１２１１’’、第２の辺１２１２’’、第３の辺１２１３’’、第４の辺１２１４’’を有する四辺形を例にして説明する。太陽電池発電モジュール１１’’と固定フレーム１２’’とが太陽電池発電モジュール構造１’’として一体形成された場合、強化リブ１２２’’、１２３’’、１２４’’、１２５’’により太陽電池発電モジュール構造１’’の構造強度を強化することができる。この実施例において、太陽電池発電モジュール１１’’は、強化リブ１２２’’、１２３’’によってその水平方向に分けられ、強化リブ１２４’’、１２５’’によってその垂直方向に分けられることで、計９つの力を受ける部分に分けられるため、太陽電池発電モジュール１１’’が受ける応力及び剪断力を分散させることができる。
【００１７】
図４は、本考案に係る太陽電池発電モジュール構造の改良における太陽電池発電モジュールが固定フレームのアウターフレーム、強化リブと互いに結合固定される第１の応用上面断面図を示す。アウターフレーム１２１は、受け部１２１Ａ及び構造強化部１２１Ｂを有し、受け部１２１Ａは、凹形状を呈しており、それによって太陽電池発電モジュール１１の外縁１１１を収容することにより外縁１１１が受け部１２１Ａに嵌設され、且つ受け部１２１Ａは構造強化部１２１Ｂの一側１２１ＢＣに隣接し、構造強化部１２１Ｂは、フレーム型となっており、該フレーム型の強化リブ１２２に隣接した一側１２１ＢＡの内側には２つのロック構造１２１Ｂ１、１２１Ｂ２が設けられ、それによって２つのねじ（図示せず）又はその他の固定部材（図示せず）が穿通され、太陽電池発電モジュール構造１をその他の物体に固定させ、フレーム型の強化リブ１２２に隣接した該一側１２１ＢＡの対向側１２１ＢＢには第１の固定孔１２１Ｂ３が設けられ、フレーム型の強化リブ１２２に隣接した一側１２１ＢＡには第２の固定孔１２１Ｂ４が設けられ、前記第２の固定孔１２１Ｂ４は、前記第１の固定孔１２１Ｂ３に対向し、これにより、第１のロック部材Ｐが、前記第１の固定孔１２１Ｂ３を貫通し、第２の固定孔１２１Ｂ４に入り、さらに強化リブ１２２の第１のロック孔１２２１に入ることで、第１のロック部材Ｐが強化リブ１２２と平行する形で前記構造強化部１２１Ｂと前記強化リブ１２２とを互いに固定させることが可能であり、前記構造強化部１２１Ｂの前記受け部１２１Ａに隣接した前記一側１２１ＢＣの対向側１２１ＢＤには延在部１２１Ｃが設けられ、前記延在部１２１Ｃが、前記強化リブ１２２と平行する形で構造強化部１２１Ｂから外方向へ延在するとともに前記強化リブ１２２に当接し、且つ第１のロック部材Ｐと組み合わせられ、強化リブ１２２をさらに固定させる。
【００１８】
図５は、本考案に係る太陽電池発電モジュール構造の改良における太陽電池発電モジュールが固定フレームのアウターフレーム、強化リブと互いに結合固定される第２の応用上面断面図を示す。アウターフレーム１２１は、受け部１２１Ａ及び構造強化部１２１Ｂを有し、受け部１２１Ａは、凹形状を呈しており、それによって太陽電池発電モジュール１１の外縁１１１を収容することにより外縁１１１が受け部１２１Ａに嵌設され、且つ受け部１２１Ａは構造強化部１２１Ｂの一側１２１ＢＣに隣接し、構造強化部１２１Ｂは、フレーム型となっており、該フレーム型の強化リブ１２２に隣接した一側１２１ＢＡの内側には２つのロック構造１２１Ｂ１、１２１Ｂ２が設けられ、それによって２つのねじ（図示せず）又はその他の固定部材（図示せず）が穿通され、太陽電池発電モジュール構造１をその他の物体に固定させることが可能であり、構造強化部１２１Ｂの受け部１２１Ａに隣接した前記一側１２１ＢＣの対向端１２１ＢＤには延在部１２１Ｃが設けられ、延在部１２１Ｃが、強化リブ１２２と平行する形で構造強化部１２１Ｂから外方向へ延在するとともに強化リブ１２２に当接し、延在部１２１Ｃには第３の固定孔１２１Ｂ５が設けられ、これにより、第２のロック部材Ｐ’が、前記第３の固定孔１２１Ｂ５を貫通し、さらに強化リブ１２２の第２のロック孔１２２２に入ることで、第２のロック部材Ｐ’が強化リブ１２２と垂直する形で構造強化部１２１Ｂと強化リブ１２２とを互いに固定させることが可能である。
【００１９】
図６は、本考案に係る太陽電池発電モジュール構造の改良における太陽電池発電モジュールが固定フレームのアウターフレーム、強化リブと互いに結合固定される第３の応用上面断面図を示す。アウターフレーム１２１は、受け部１２１Ａ及び構造強化部１２１Ｂを有し、受け部１２１Ａは、凹形状を呈しており、それによって太陽電池発電モジュール１１の外縁１１１を収容することにより外縁１１１が受け部１２１Ａに嵌設され、且つ受け部１２１Ａは構造強化部１２１Ｂの一側１２１ＢＣに隣接し、構造強化部１２１Ｂは、フレーム型となっており、該フレーム型の強化リブ１２２に隣接した一側１２１ＢＡの内側には２つのロック構造１２１Ｂ１、１２１Ｂ２が設けられ、それによって２つのねじ（図示せず）又はその他の固定部材（図示せず）が穿通され、太陽電池発電モジュール構造１をその他の物体に固定させることが可能であり、フレーム型の強化リブ１２２に隣接した一側１２１ＢＡの対向側１２１ＢＢには第４の固定孔１２１Ｂ６が設けられ、フレーム型の強化リブ１２２に隣接した一側１２１ＢＡには少なくとも１つの第５の固定孔１２１Ｂ７が設けられ、第５の固定孔１２１Ｂ７は、第４の固定孔１２１Ｂ６に対向し、これにより、第３のロック部材Ｐ’’’が、第４の固定孔１２１Ｂ６を貫通し、第５の固定孔１２１Ｂ７に入り、さらに強化リブ１２２の第３のロック孔１２２３に入ることで、第３のロック部材Ｐ’’’が強化リブ１２２と平行する形で構造強化部１２１Ｂと強化リブ１２２とを互いに固定させることが可能であり、構造強化部１２１Ｂの受け部１２１Ａに隣接した前記一側１２１ＢＣの対向側１２１ＢＤには延在部１２１Ｃが設けられ、延在部１２１Ｃが、強化リブ１２２と平行する形で構造強化部１２１Ｂから外方向へ延在するとともに強化リブ１２２に当接し、延在部１２１Ｃには第６の固定孔１２１Ｂ８が設けられ、これにより、第４のロック部材Ｐ’’’’が、第６の固定孔１２１Ｂ８を貫通し、さらに強化リブ１２２の第４のロック孔１２２４に入ることで、第４のロック部材Ｐ’’’’が強化リブ１２２と垂直する形で構造強化部１２１Ｂと強化リブ１２２とを互いに固定させることが可能である。
【００２０】
上述のように、本考案は、嵌設構造、強化リブ及び支持アームの構造により、太陽電池発電モジュール及び固定フレームを三次元の方向から固定することで、太陽電池発電モジュールの構造をさらに強化するための太陽電池発電モジュール構造の改良である。従って、現在知られている、例えば強風の直接的作用力、太陽の日差しによる温度昇降から生じた応力及び剪断力、寒帯気候での使用時における積雪の重量等、全体構造が崩れることを引き起こす要因を、同時に解決することが可能になる。
【００２１】
本考案は、考案者の豊富な経験を生かして創意ある構想を練ることで、従来技術の問題を簡単且つ十分に解決できるものを作り出している。従って、本考案の機能は、新規性及び進歩性を有するという実用新案権の要件に合致している。
【００２２】
上述したものは、本考案の好ましい具体的実施例の詳細説明や図面に過ぎず、所属する技術分野において通常知識を有する者により本考案の主旨を逸脱しない範囲で種々に修正や変更されることが可能であり、そうした修正や変更は、本考案の請求の範囲に入るものである。
【符号の説明】
【００２３】
２  太陽電池発電モジュール構造
２１  太陽電池発電モジュール
２２  固定フレーム
１  太陽電池発電モジュール構造
１１  太陽電池発電モジュール
１１１  外縁
１２  固定フレーム
１２１  アウターフレーム
１２２  強化リブ
１２３  強化リブ
１２１１  第１の辺
１２１２  第２の辺
１２１３  第３の辺
１２１４  第４の辺
１’  太陽電池発電モジュール構造
１１’太陽電池発電モジュール
１２’固定フレーム
１２１’  アウターフレーム
１２２’強化リブ
１２３’  強化リブ
１２１１’  第１の辺
１２１２’  第２の辺
１２１３’  第３の辺
１２１４’第４の辺
１’’  太陽電池発電モジュール構造
１１’’  太陽電池発電モジュール
１２’’  固定フレーム
１２１’’  アウターフレーム
１２２’’  強化リブ
１２３’’  強化リブ
１２４’’  強化リブ
１２５’’  強化リブ
１２１１’’  第１の辺
１２１２’’  第２の辺
１２１３’’  第３の辺
１２１４’’  第４の辺
１２１Ａ  受け部
１２１Ｂ  構造強化部
１２１ＢＡ  辺
１２１ＢＢ  辺
１２１ＢＣ  辺
１２１ＢＤ  辺
１２１Ｂ１  ロック構造
１２１Ｂ２  ロック構造
１２１Ｂ３  第１の固定孔
１２１Ｂ４  第２の固定孔
１２１Ｂ５  第３の固定孔
１２１Ｂ６  第４の固定孔
１２１Ｂ７  第５の固定孔
１２１Ｂ８  第６の固定孔
１２１Ｃ  延在部
Ｐ  第１のロック部材
Ｐ’第２のロック部材
Ｐ’’’  第３のロック部材
Ｐ’’’’  第４のロック部材
１２２１  第１のロック孔
１２２２  第２のロック孔
１２２３  第３のロック孔
１２２４  第４のロック孔
４２ａＸ  切り欠き
４２ｂＸ  切り欠き
４０ａＸ  支持壁
４０ｂＸ  支持壁
１１Ｘ  接続翼
２１Ｘ  接続翼
【図１】
0003175503.tif 000003
【図２】
0003175503.tif 000004
【図３】
0003175503.tif 000005
【図４】
0003175503.tif 000006
【図５】
0003175503.tif 000007
【図６】
0003175503.tif 000008
【図７】
0003175503.tif 000009
【図８】
0003175503.tif 000010